(57)【要約】【課題】ＩＰ電話網を介して画像通信などのデータ通信を実行するときに、通信エラーを軽減することができる、ファクシミリ装置などの通信端末装置を提供する。【解決手段】ファクシミリ装置２０の主制御部１は、ダイヤルする電話番号の先頭の「０５０」（ＩＰ電話の識別番号）を検出したか否かに基づいて相手方のファクシミリ装置がＩＰ電話網に接続されているか否かを検出し、相手方のファクシミリ装置がＩＰ電話網に接続されていることを検出したとき（図２のステップＳ３でＹＥＳ）ハイスピードフラグをオフにし（ステップＳ５）、このとき（ステップＳ７でＮＯ）ファックスモデム１０の最大データ速度を９６００ｂｐｓに設定し、かつ上記モデムの最大シンボルレートを２４００ボーに設定するようにファックスモデム１０を制御する（ステップＳ９）。【選択図】図２
2005130036.tif 000002
【特許請求の範囲】
【請求項１】
相手方の通信端末装置がＩＰ電話網に接続されているか否かを検出する検出手段と、
上記検出手段により相手方の通信端末装置がＩＰ電話網に接続されていることを検出したとき、モデムの最大データ速度と最大シンボルレートとの少なくとも一方を下げるように制御する制御手段とを備えたことを特徴とする通信端末装置。
【請求項２】
上記検出手段は、ダイヤルする電話番号の先頭においてＩＰ電話の識別番号を検出したか否かに基づいて、相手方の通信端末装置がＩＰ電話網に接続されているか否かを検出することを特徴とする請求項１記載の通信端末装置。
【請求項３】
上記制御手段は、上記検出手段により相手方の通信端末装置がＩＰ電話網に接続されていることを検出したとき、ＩＴＵ−Ｔ勧告のＶ３４の通信規格に基づくデータ通信をマスクして実行せず、ＩＴＵ−Ｔ勧告のＶ１７の通信規格に基づいてデータ通信を実行するように上記モデムを制御することを特徴とする請求項１又は２記載の通信端末装置。
【請求項４】
上記制御手段は、上記検出手段により相手方の通信端末装置がＩＰ電話網に接続されていることを検出したとき、上記モデムの最大データ速度を９６００ｂｐｓに設定し、又は上記モデムの最大シンボルレートを２４００ボーに設定するように上記モデムを制御することを特徴とする請求項１又は２記載の通信端末装置。
【発明の詳細な説明】
【技術分野】
【０００１】
本発明は、例えばファクシミリ装置などのモデムの最大データ速度又は最大シンボルレートを制御する通信端末装置に関する。
【背景技術】
【０００２】
従来のＧ３モードのファクシミリ装置においては、画像データの送信の前に試験信号を送受信するトレーニングを行ってデータ速度などの通信条件を決定した後、画像データの送受信を行っている。
【０００３】
例えば、特許文献１においては、「最新の変調方式を用いることにより通信エラー等の不具合が発生することを防止するために、ファクシミリ装置において、回線に送出するダイヤル番号信号が示すダイヤル番号の１桁目の番号が予め設定された設定値と一致するか否かを判断する（特許文献１の図２のステップＳ２）。そして、一致しないときは（ステップＳ２のＮ）、Ｖ３４変調方式でファクスを送信するが（ステップＳ４）、一致するときは（ステップＳ２のＹ）、Ｖ１７変調方式に変更してファクスを送信する（ステップＳ３）。」ことが開示されている。
【０００４】
【特許文献１】特開２０００−１７５０１１号公報。
【発明の開示】
【発明が解決しようとする課題】
【０００５】
昨今、ＩＰ電話網を介してファクシミリ画像通信を実行する場合、モデムのデータ速度やシンボルレートが高い場合、通信エラーが頻発するという問題点があった。
【０００６】
本発明の目的は以上の問題点を解決し、ＩＰ電話網を介して画像通信などのデータ通信を実行するときに、通信エラーを軽減することができる、ファクシミリ装置などの通信端末装置を提供することにある。
【課題を解決するための手段】
【０００７】
本発明に係る通信端末装置は、相手方の通信端末装置がＩＰ電話網に接続されているか否かを検出する検出手段と、
上記検出手段により相手方の通信端末装置がＩＰ電話網に接続されていることを検出したとき、モデムの最大データ速度と最大シンボルレートとの少なくとも一方を下げるように制御する制御手段とを備えたことを特徴とする。
【０００８】
上記通信端末装置において、上記検出手段は、ダイヤルする電話番号の先頭においてＩＰ電話の識別番号を検出したか否かに基づいて、相手方の通信端末装置がＩＰ電話網に接続されているか否かを検出することを特徴とする。
【０００９】
また、上記通信端末装置において、上記制御手段は、上記検出手段により相手方の通信端末装置がＩＰ電話網に接続されていることを検出したとき、ＩＴＵ−Ｔ勧告のＶ３４の通信規格に基づくデータ通信をマスクして実行せず、ＩＴＵ−Ｔ勧告のＶ１７の通信規格に基づいてデータ通信を実行するように上記モデムを制御することを特徴とする。とって代わって、上記通信端末装置において、上記制御手段は、上記検出手段により相手方の通信端末装置がＩＰ電話網に接続されていることを検出したとき、上記モデムの最大データ速度を９６００ｂｐｓに設定し、又は上記モデムの最大シンボルレートを２４００ボーに設定するように上記モデムを制御することを特徴とする。
【発明の効果】
【００１０】
本発明に係る通信端末装置によれば、相手方の通信端末装置がＩＰ電話網に接続されているか否かを検出する検出手段と、上記検出手段により相手方の通信端末装置がＩＰ電話網に接続されていることを検出したとき、モデムの最大データ速度と最大シンボルレートとの少なくとも一方を下げるように制御する制御手段とを備える。具体的には、例えば、相手方の通信端末装置がＩＰ電話網に接続されていることを検出したとき、ＩＴＵ−Ｔ（国際電気通信連合−電気通信標準化部門）の勧告で標準化されたＶ３４の通信規格に基づくデータ通信をマスクして実行せず、ＩＴＵ−Ｔ勧告のＶ１７の通信規格に基づいてデータ通信を実行するように上記モデムを制御し、もしくは、とって代わって、ファックスモデム１０の最大データ速度を９６００ｂｐｓに設定し、又は上記モデムの最大シンボルレートを２４００ボーに設定するようにファックスモデム１０を制御する。従って、特にファクシミリ画像通信などのデータ通信における通信エラーを防止することができ、また無駄なトレーニング手順を繰り返す（フォールバック）ことがないので、通信時間を短縮でき通信料金の増加を軽減できる。
【発明を実施するための最良の形態】
【００１１】
以下、図面を参照して本発明に係る実施形態について説明する。
【００１２】
＜実施形態＞
図１は、本発明に係る実施形態である、ダイヤルする電話番号に基づくモデムの制御機能を有するファクシミリ装置２０の構成を示すブロック図である。
【００１３】
この実施形態のファクシミリ装置２０の主制御部１は、ダイヤルする電話番号の先頭の「０５０」を検出したか否かに基づいて相手方のファクシミリ装置がＩＰ電話網に接続されているか否かを検出し、相手方のファクシミリ装置がＩＰ電話網に接続されていることを検出したとき（図２のステップＳ３でＹＥＳ）ハイスピードフラグをオフにし（ステップＳ５）、このとき（ステップＳ７でＮＯ）ファックスモデム１０の最大データ速度を９６００ｂｐｓに設定し、かつ上記モデムの最大シンボルレートを２４００ボーに設定するようにファックスモデム１０を制御する（ステップＳ９）ことを特徴としている。
【００１４】
図１において、ファクシミリ装置２０は、従来のＧ３方式等のファクシミリ通信機能を備えるとともに、ダイヤルする電話番号に基づくモデムの制御機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１５】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１６】
ＲＯＭ６は、当該ファクシミリ装置２０の動作に必要であって主制御部１によって実行される種々のソフトウェアのプログラムを予め格納し、ここで、当該プログラムは、少なくとも図２の発信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１７】
ファックスモデム１０は、公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００１８】
以上のように構成された本実施形態のファクシミリ装置２０は、通常のＧ３方式等のファクシミリ通信機能に加えて、ダイヤルする電話番号に基づくモデムの制御機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００１９】
さらに、高速でファクシミリ通信などのデータ通信が可能なＶ３４モードの通信手順について説明する。ファクシミリ装置などの通信端末装置でデータ通信を行う場合には半二重方式の例えばＩＴＵ−Ｔの勧告Ｖ１７モードの通信手順等に準拠した変復調装置を使用し、Ｇ３規格のファクシミリ通信手順でもある同勧告Ｔ３０に規定されている手順に従って行う。また、同勧告Ｖ３４に準拠した最大伝送速度が３３．６ｋｂｐｓの超高速の通信手順（以下、Ｖ３４モードの通信手順という。）も実用化されており、このＶ３４モードの通信手順では通信の開始時点及び通信実行中において、受信側でその時点の回線状況、具体的にはＳ／Ｎ（信号対雑音電力比）、帯域幅に応じて通信速度を指定することが可能であり、送信側ではそのようにして受信側で指定された通信速度で送信を行うように通信速度を変更する。なお、Ｖ３４モードの通信手順でデータ通信を行う場合には同じく同勧告Ｖ８通信手順で前手順を行って実際の通信速度を決定する。
【００２０】
ここで、Ｖ３４モードでデータ通信を行うときのデータ速度とシンボルレートの関係を次の表に示す。
【００２１】
［表１］
Ｖ３４モードにおけるデータ速度とシンボルレートとの関係
―――――――――――――――――――――――――――――――――――
データ速度（ｂｐｓ）シンボルレート（シンボル／秒）
―――――――――――――――――――――――――――――――――――
２４００        ２４００
４８００        ２４００，２８００，３０００，３２００，３４２９
７２００        ２４００，２８００，３０００，３２００，３４２９
９６００        ２４００，２８００，３０００，３２００，３４２９
１２０００        ２４００，２８００，３０００，３２００，３４２９
１４４００        ２４００，２８００，３０００，３２００，３４２９
１６８００        ２４００，２８００，３０００，３２００，３４２９
１９２００        ２４００，２８００，３０００，３２００，３４２９
２１６００        ２４００，２８００，３０００，３２００，３４２９
２４０００        ２８００，３０００，３２００，３４２９
２６４００        ２８００，３０００，３２００，３４２９
２８８００        ３０００，３２００，３４２９
３１２００        ３２００，３４２９
３３６００        ３４２９
―――――――――――――――――――――――――――――――――――
【００２２】
また、ＩＴＵ−Ｔ勧告のＶ１７モードでは、１４４００ｂｐｓ（シンボルレート＝２４００シンボル／秒など）乃至２４００ｂｐｓ（シンボルレート＝２４００シンボル／秒）の間でトレーニング信号の通信結果に基づいてデータ速度やシンボルレートが決定される。
【００２３】
図２は図１のファクシミリ装置２０の主制御部１によって実行される、実施形態に係る発信処理を示すフローチャートである。
【００２４】
図２のステップＳ１において、まず、発呼したか否かが判断され、ＹＥＳのときはステップＳ２に進む一方、ＮＯのときはステップＳ１に戻る。次いで、ステップＳ２においてダイヤル番号をチェックし、ステップＳ３においてダイヤル番号の先頭は「０５０」であるか否かが判断され、ＹＥＳのときはステップＳ５に進む一方、ＮＯのときはステップＳ４に進む。ステップＳ４においてハイスピードフラグをオンした後、ステップＳ６に進む。また、ステップＳ５では、ハイスピードフラグをオフした後、ステップＳ６においてダイヤル処理において相手方のダイヤル番号を送出し、ステップＳ７においてハイスピードフラグはオンか否かが判断される。ステップＳ７において、ＹＥＳのときはステップＳ８に進む一方、ＮＯのときはステップＳ９に進む。ステップＳ８においてファックスモデム１０の最大シンボルレートを３４２９ボーに設定し、最大データ速度を３３６ｋｂｐＳに設定した後、ステップＳ１０に進む。また、ステップＳ９においてファックスモデム１０の最大シンボルレートを２４００ボーに設定し、最大データ速度を９６００ｂｐＳに設定した後、ステップＳ１０に進む。ステップＳ１０においてファクシミリ送信処理を実行する。なお、ファクシミリ送信処理の最初の処理では、設定された最大シンボルレートと最大データ速度とに基づいてトレーニング処理を実行して、トレーニング信号に基づいて実際に実行するファックスモデム１０のシンボルレートとデータ速度を決定して画像データを送受信する。さらに、ステップＳ１１において回線開放した後、ステップＳ１に戻る。
【００２５】
以上説明したように、本実施形態によれば、ファクシミリ装置２０の主制御部１は、ダイヤルする電話番号の先頭の「０５０」を検出したか否かに基づいて相手方のファクシミリ装置がＩＰ電話網に接続されているか否かを検出し、相手方のファクシミリ装置がＩＰ電話網に接続されていることを検出したとき（図２のステップＳ３でＹＥＳ）ハイスピードフラグをオフにし（ステップＳ５）、このとき（ステップＳ７でＮＯ）ファックスモデム１０の最大データ速度を９６００ｂｐｓに設定し、かつ上記モデムの最大シンボルレートを２４００ボーに設定するようにファックスモデム１０を制御する（ステップＳ９）。従って、ファクシミリ画像通信における通信エラーを防止することができ、また無駄なトレーニング手順を繰り返す（フォールバック）ことがないので、通信時間を短縮でき通信料金の増加を軽減できる。
【００２６】
＜変形例＞
図３は図１のファクシミリ装置２０の主制御部１によって実行される、変形例に係る発信処理を示すフローチャートである。
【００２７】
図３のステップＳ１において、まず、発呼したか否かが判断され、ＹＥＳのときはステップＳ２に進む一方、ＮＯのときはステップＳ１に戻る。次いで、ステップＳ２においてダイヤル番号をチェックし、ステップＳ３においてダイヤル番号の先頭は「０５０」であるか否かが判断され、ＹＥＳのときはステップＳ５Ａに進む一方、ＮＯのときはステップＳ４Ａに進む。ステップＳ４ＡにおいてＶ３４モードフラグをオンした後、ステップＳ６に進む。また、ステップＳ５Ａでは、Ｖ３４モードフラグをオフした後、ステップＳ６においてダイヤル処理において相手方のダイヤル番号を送出し、ステップＳ７においてＶ３４モードフラグはオンか否かが判断される。ステップＳ７において、ＹＥＳのときはステップＳ９Ａに進む一方、ＮＯのときはステップＳ８Ａに進む。ステップＳ８Ａにおいてはファックスモデム１０を用いて、Ｖ３４モードをマスクして実行せず、Ｖ１７モードでファクシミリ送信処理を実行した後、ステップＳ１１に進む。一方、ステップＳ９Ａにおいてはファックスモデム１０を用いて、Ｖ１７モードでファクシミリ送信処理を実行した後、ステップＳ１１に進む。なお、ファクシミリ送信処理の最初の処理では、設定された最大シンボルレートと最大データ速度とに基づいてトレーニング処理を実行して、トレーニング信号に基づいて実際に実行するファックスモデム１０のシンボルレートとデータ速度を決定して画像データを送受信する。さらに、ステップＳ１１において回線開放した後、ステップＳ１に戻る。
【００２８】
以上説明したように、本実施形態によれば、ファクシミリ装置２０の主制御部１は、ダイヤルする電話番号の先頭の「０５０」を検出したか否かに基づいて相手方のファクシミリ装置がＩＰ電話網に接続されているか否かを検出し、相手方のファクシミリ装置がＩＰ電話網に接続されていることを検出したとき（図３のステップＳ３でＹＥＳ）Ｖ３４モードフラグをオフにし（ステップＳ５Ａ）、このとき（ステップＳ７ＡでＮＯ）ファックスモデム１０の動作モードをＶ１７モードに設定するようにファックスモデム１０を制御してファクシミリ送信処理を実行する（ステップＳ８Ａ）。従って、ファクシミリ画像通信における通信エラーを防止することができ、また無駄なトレーニング手順を繰り返す（フォールバック）ことがないので、通信時間を短縮でき通信料金の増加を軽減できる。
【００２９】
以上の実施形態においては、ファクシミリ装置２０の例について述べているが、本発明はこれに限らず、ＩＰ電話網、公衆電話網又は公衆デジタル回線網などの公衆網に接続された、例えば電話機、データ通信装置などを含む通信端末装置に適用することができる。
【００３０】
以上の実施形態においては、ダイヤルする電話番号の先頭の「０５０」を検出したか否かに基づいて相手方のファクシミリ装置などの通信端末装置がＩＰ電話網に接続されているか否かを検出しているが、相手方のファクシミリ装置などの通信端末装置がＩＰ電話網に接続されていることを示す他のＩＰ電話の識別番号に基づいて相手方のファクシミリ装置などの通信端末装置がＩＰ電話網に接続されているか否かを検出してもよい。
【００３１】
以上の実施形態においては、相手方のファクシミリ装置などの通信端末装置がＩＰ電話網に接続されていることを検出したとき、ＩＴＵ−Ｔ勧告のＶ３４の通信規格に基づくデータ通信をマスクして実行せず、ＩＴＵ−Ｔ勧告のＶ１７の通信規格に基づいてデータ通信を実行するようにファックスモデム１０を制御し、もしくは、ファックスモデム１０の最大データ速度を９６００ｂｐｓに設定し、又はファックスモデム１０のシンボルレートを２４００ボーに設定するようにファックスモデム１０を制御している。しかしながら、本発明はこれに限らず、ファックスモデム１０の最大データ速度と最大シンボルレートとの少なくとも一方を下げるように制御してもよい。
【図面の簡単な説明】
【００３２】
【図１】本発明に係る実施形態である、ダイヤルする電話番号に基づくモデムの制御機能を有するファクシミリ装置２０の構成を示すブロック図である。
【図２】図１のファクシミリ装置２０の主制御部１によって実行される、実施形態に係る発信処理を示すフローチャートである。
【図３】図１のファクシミリ装置２０の主制御部１によって実行される、変形例に係る発信処理を示すフローチャートである。
【符号の説明】
【００３３】
１…主制御部、
２…画像読取部、
３…画像記録部、
４…表示部、
５…操作部、
６…ＲＯＭ、
７…ＲＡＭ、
８…画像メモリ、
１０…ファックスモデム、
１１…ＮＣＵ、
１３…バス、
２０…ファクシミリ装置、
Ｌ…公衆電話回線。
【図１】
2005130036.tif 000003
【図２】
2005130036.tif 000004
【図３】
2005130036.tif 000005